(57)【特許請求の範囲】
【請求項１】
厚さを有する板状のクリップ本体と、
前記クリップ本体の取付側端部に形成されて前記クリップ本体を取付対象物に連結する連結部と、を備える筆記具用クリップであって、
前記クリップ本体の取付側端部には、前記クリップ本体の先端側端部に向かって延びて前記クリップ本体の厚さを二分する切り欠きが設けられて、前記切り欠きの上側と下側とにそれぞれ前記クリップ本体の上側薄肉部及び下側薄肉部が形成され、
前記切り欠きは前記連結部よりも前記クリップ本体の先端側に延び、前記連結部は前記下側薄肉部に形成されたことを特徴とする筆記具用クリップ。
【請求項２】
前記クリップ本体の周囲に嵌合される環状の飾り部材と、
前記上側薄肉部に形成された第１の係合体と、
前記飾り部材に形成されて前記第１の係合体と係合する第１の被係合体と、をさらに備え、
前記第１の係合体と前記第１の被係合体との係合により、前記飾り部材が前記上側薄肉部に係止されることを特徴とする請求項１に記載の筆記具用クリップ。
【請求項３】
前記クリップ本体の周囲に嵌合される環状の飾り部材と、
前記飾り部材に形成された第２の係合体と、
前記下側薄肉部に形成されて前記第２の係合体と係合する第２の被係合体と、をさらに備え、
前記第２の係合体と前記第２の被係合体との係合により、前記飾り部材が前記下側薄肉部に係止されることを特徴とする請求項１に記載の筆記具用クリップ。
【請求項４】
請求項１〜３のいずれか１項に記載の筆記具用クリップを備えることを特徴とする筆記具。
【発明の詳細な説明】
【技術分野】
【０００１】
本発明は筆記具用クリップ及び筆記具に関する。
【背景技術】
【０００２】
外観の装飾や色種の視認性を向上させるため、例えば筆記具のクリップにインクと同色の印刷や飾り部材が設けられることがある。例えば特許文献１には、樹脂材料から形成された枠体すなわち飾り部材を、クリップのクリップ本体の輪郭の全周に形成される係止溝に取り付ける技術が開示されている。飾り部材の取り付けにあたって、飾り部材は弾性変形によりこの係止溝に嵌め合わせられる。
【先行技術文献】
【特許文献】
【０００３】
【特許文献１】実用新案登録第３０４７４９８号公報
【特許文献２】実用新案登録第３０８７６６８号公報
【特許文献３】特開２０１０−１３７４３６号公報
【発明の概要】
【発明が解決しようとする課題】
【０００４】
この技術では係止溝の分だけクリップの厚さが増大するので、クリップの剛性が増大する。剛性の増大に起因してキャップ本体や軸筒からのクリップの開き量が減少する。こうした筆記具は非常に使いにくい。また、クリップ本体は、その取付側端部に形成される連結部でキャップ本体や軸筒に連結される。その結果、連結部を支点にしてクリップが無理に開かれると、取付側端部に応力が過度に集中するので、クリップが折れてしまうことがある。
【０００５】
本発明は、上記実情に鑑みてなされたものであって、クリップの剛性の増大を回避することができる筆記具用クリップ及び筆記具を提供することを目的とする。
【課題を解決するための手段】
【０００６】
上記目的を達成するために、本発明によれば、
厚さを有する板状のクリップ本体と、
前記クリップ本体の取付側端部に形成されて前記クリップ本体を取付対象物に連結する連結部と、を備える筆記具用クリップであって、
前記クリップ本体の取付側端部には、前記クリップ本体の先端側端部に向かって延びて前記クリップ本体の厚さを二分する切り欠きが設けられて、前記切り欠きの上側と下側とにそれぞれ前記クリップ本体の上側薄肉部及び下側薄肉部が形成され、
前記切り欠きは前記連結部よりも前記クリップ本体の先端側に延び、前記連結部は前記下側薄肉部に形成された筆記具用クリップが提供される。
【０００７】
こうした筆記具用キャップでは、切り欠きは、取付対象物に連結される連結部が形成される取付側端部でクリップ本体の厚さを二分する。この切り欠きの形成によってクリップ本体の取付側端部には上側薄肉部と下側薄肉部とが形成される。その結果、クリップ本体の取付側端部に切り欠きが形成されない場合に比べて、クリップ本体の取付側端部で剛性は著しく低減される。従って、連結部を支点にして取付対象物からクリップが持ち上げられて開かれた時、クリップ本体の取付側端部で過度の応力集中を確実に回避することができる。こうしてクリップの折れを防止することができる。こうした筆記具用クリップは筆記具に組み込まれる。
【０００８】
本発明に係る筆記具用クリップは、前記クリップ本体の周囲に嵌合される環状の飾り部材と、前記上側薄肉部に形成された第１の係合体と、前記飾り部材に形成されて前記第１の係合体と係合する第１の被係合体と、をさらに備える。このとき、前記第１の係合体と前記第１の被係合体との係合により、前記飾り部材が前記上側薄肉部に係止される。こうした筆記具用クリップによれば、第１の被係合体と第１の係合体とが相互に係合することによって、飾り部材に対する上側薄肉部の浮き上がりを防止することができる。
【０００９】
本発明に係る筆記具用クリップは、前記クリップ本体の周囲に嵌合される環状の飾り部材と、前記飾り部材に形成された第２の係合体と、前記下側薄肉部に形成されて前記第２の係合体と係合する第２の被係合体と、をさらに備える。このとき、前記第２の係合体と前記第２の被係合体との係合により、前記飾り部材が前記下側薄肉部に係止される。こうした筆記具用クリップによれば、第２の被係合体と第２の係合体とが相互に係合することによって、下側薄肉部に対する飾り部材の浮き上がりを防止することができる。
【発明の効果】
【００１０】
本発明によれば、クリップの剛性の増大を回避することができる筆記具用クリップ及び筆記具を提供することができる。
【図面の簡単な説明】
【００１１】
【図１】本発明の一実施形態に係る筆記具の構造を概略的に示す側面図である。
【図２】本発明の一実施形態に係る筆記具の構造を概略的に示す垂直断面図である。
【図３】本発明の一実施形態に係る筆記具用クリップの構造を概略的に示す側面図である。
【図４】本発明の一実施形態に係る筆記具用クリップの構造を概略的に示す平面図である。
【図５】本発明の一実施形態に係る筆記具用クリップの構造を概略的に示す斜視図である。
【図６】図４の６−６線に沿った垂直断面図である。
【図７】図６に対応し、筆記具用クリップの構造を概略的に示す部分拡大断面図である。
【図８】一具体例に係る飾り部材の構造を概略的に示す斜視図である。
【図９】図８の９−９線に沿った断面図である。
【図１０】図７の１０−１０線に沿った端面図である。
【図１１】飾り部材を取り付ける様子を概略的に示す垂直断面図である。
【発明を実施するための形態】
【００１２】
図１は本発明の一実施形態に係る筆記具１の構造を概略的に示す側面図である。筆記具１は例えば水性ボールペンである。筆記具１は、キャップ２と、キャップ２の後端から挿入されてキャップ２に装着される筆記具本体３と、を備える。キャップ２は、後端で筆記具本体３の先端部分を受け入れるキャップ本体４と、キャップ本体４の前端に装着される天冠５と、取付側端部で天冠５に一体的に連結されるクリップ６と、を備える。クリップ６は、キャップ本体４の前端に形成された切り欠き７を通ってキャップ本体４の外側に突出する。天冠５は、筆記具１の装飾としての役割及びクリップ６の台座としての役割を有する。なお、クリップ６は天冠５と別体で形成されてもよい。また、クリップ６では、天冠５に連結される側を「取付側」と規定し、取付側の反対側を「先端側」と規定する。
【００１３】
図２は、筆記具１の軸心を含む仮想平面に沿った垂直断面図である。図２を併せて参照すると、筆記具本体３は、インクを保持するとともに先端にチップを有するリフィル８と、リフィル８の後端部分を受け入れてリフィル８に装着される後軸９と、を備える。リフィル８には水性インクが充填される。その一方で、キャップ２のキャップ本体４は、円筒状の筒体１１と、筒体１１内に配置されて筒体１１に連結される取付体１２と、を備える。筒体１１と取付体１２とは相互に同軸に配置される。筒体１１は、後端でリフィル８の先端部分を受け入れるとともに前端で天冠５を受け入れる。なお、本明細書において、天冠５が装着される側を「前側」と定義し、筆記具本体３のペン先が挿入される側を「後側」と定義する。
【００１４】
筒体１１は、例えば両端で開放された円筒状の中空体から形成される。取付体１２は、筒体１１内で筒体１１の前端寄りに配置される。取付体１２の後端には有底孔から形成される収容空間１３が形成される。収容空間１３には筆記具本体３の先端が収容される。こうしてリフィル８のチップが気密状態で保持される。その一方で、天冠５は、外周面で筒体１１の内周面に嵌合される天冠外筒部１４と、天冠外筒部１４内に配置されて天冠外筒部１４に連結される天冠内筒部１５と、を備える。天冠内筒部１５はその内周面で取付体１２の前端寄りの外周面に嵌合される。こうして天冠５はキャップ本体４に装着される。取付体１２の前端は天冠内筒部１５の前端よりも外側に突き出る。
【００１５】
筆記具本体３を構成するリフィル８及び後軸９と、キャップ本体４を構成する筒体１１及び取付体１２と、天冠５及びクリップ６とはそれぞれ、例えばポリカーボネート（ＰＣ）、アクリロニトリルブタジエンスチレン（ＡＢＳ）、ポリプロピレン（ＰＰ）、ポリアセタール（ＰＯＭ）、アクリル、ポリエチレンテレフタレート（ＰＥＴ）、及びポリエチレン（ＰＥ）等の樹脂材料から形成される。また、筒体１１及び取付体１２は一体成形により形成される。同様に、天冠５及びクリップ６は一体成形により形成される。
【００１６】
図３は、本発明の一実施形態に係るキャップ２の構造を概略的に示す側面図であり、図４は、本発明の一実施形態に係るキャップ２の構造を概略的に示す平面図である。図３及び図４に示されるように、クリップ６は、所定の厚さを有する板状のクリップ本体２１と、クリップ本体２１の基部側端部に形成されてクリップ本体２１を天冠５に連結する連結部２２と、クリップ本体２１の周囲に嵌合される環状の飾り部材２３と、を備える。本実施形態では、クリップ本体２１は天冠５に連結されることから、天冠５は本発明の取付対象物に相当する。クリップ本体２１及び連結部２２は、前述の樹脂材料から例えば一体成形により形成される。飾り部材２３は前述の樹脂材料から成形される。
【００１７】
図５は、本発明の一実施形態に係るクリップ６の構造を概略的に示す斜視図である。図５ではクリップ本体２１から飾り部材２３が取り外されている。図５から明らかなように、クリップ本体２１の取付側端部でクリップ本体２１には切り欠き２４が形成される。切り欠き２４は、クリップ本体２１の取付側端部から先端側端部に向かって延びてクリップ本体２１の厚さを二分する。こうした切り欠き２４の形成によって、クリップ本体２１の取付側端部には切り欠き２４の上側と下側とにそれぞれ上側薄肉部２１ａと下側薄肉部２１ｂとが形成される。上側薄肉部２１ａの裏面は下側薄肉部２１ｂの表面に向き合う。前述の連結部２２は下側薄肉部２１ｂの裏面に形成される。
【００１８】
上側薄肉部２１ａ及び下側薄肉部２１ｂは、相互に向き合う薄板から形成される。切り欠き２４の内端は連結部２２よりもクリップ本体２１の先端側に配置される。言いかえれば、連結部２２は、切り欠き２４の内端よりもクリップ本体２１の取付側で下側薄肉部２１ｂの裏面に一体的に形成される。ここでは、連結部２２の厚みは、クリップ本体２１の先端側端部に向かうにつれて減少する。連結部２２は天冠５の天冠外筒部１４の外周面に一体的に形成される。図３から明らかなように、クリップ本体２１は、連結部２２に連結される取付側端から先端まで筒体１１の外周面に沿って延びる。クリップ本体２１の先端側端部ではクリップ本体２１の裏面にその裏面から突き出る玉部２５が形成される。クリップ本体２１は玉部２５で筒体１１の外周面に受け止められる。
【００１９】
図６は図４の６−６線に沿った断面図である。図６を併せて参照すると、クリップ本体２１の先端側端部には係止溝３１が形成される。飾り部材２３は、クリップ本体２１の先端側端部で係止溝３１に係合するとともに、クリップ本体２１の基部側端部で切り欠き２４に係止する。こうして飾り部材２３はクリップ本体２１の周囲に嵌合される。飾り部材２３がクリップ本体２１に嵌め合わせられると、飾り部材２３の外縁の輪郭はクリップ本体２１の外縁の輪郭にほぼ一致する。飾り部材２３の内縁の輪郭はクリップ本体２１の内縁の輪郭よりも僅かに小さく設定される。
【００２０】
図７は本発明の一実施形態に係るクリップ６の部分拡大断面図である。図７を併せて参照すると、切り欠き２４内では、上側薄肉部２１ａの裏面に第１の係合体すなわち第１係合爪３２が形成される。第１係合爪３２は上側薄肉部２１ａの幅方向の中央に配置される。第１係合爪３２は、上側薄肉部２１ａの裏面から直立する例えば直方体形状の爪本体３２ａと、爪本体３２ａの先端から上側薄肉部２１ａの裏面に沿って上側薄肉部２１ａの先端に向かって延びる例えば薄板の先端片３２ｂと、を備える。こうして先端片３２ｂと上側薄肉部２１ａの裏面との間に飾り部材２３の一部が配置されることによって飾り部材２３が上側薄肉部２１ａの先端に係止される。
【００２１】
図８は飾り部材２３の構造を概略的に示す斜視図であり、図９は図８の９−９線に沿った断面図である。図８及び図９を併せて参照すると、飾り部材２３の一端には第１係合爪３２を受け入れる第１の被係合体すなわち係合溝３３が形成される。係合溝３３は、飾り部材２３の一端でその内縁から外縁に向かって延びる。飾り部材２３の表面側に規定される係合溝３３の底面は先端片３２ｂの上面を受け止める。こうして第１係合爪３２と係合溝３３とが係合する。第１係合爪３２と係合溝３３との係合により、飾り部材２３に対する上側薄肉部２１ａの相対変位は規制される。
【００２２】
飾り部材２３の一端の内縁では、係合溝３３を挟んだ両側で飾り部材２３の内縁から内側に飾り部材２３の他端に向かって相互に平行に突き出る１対の第２の係合体すなわち突出部３４、３４が形成される。各突出部３４は、飾り部材２３の内縁から相互に平行に突き出る厚肉部３４ａと、厚肉部３４ａの先端から相互に平行にさらに突き出る薄肉部３４ｂと、を備える。薄肉部３４ｂの厚みは厚肉部３４ａの厚みよりも小さく設定される。厚肉部３４ａ及び薄肉部３４ｂは例えば飾り部材２３の裏面に沿って広がる。後述されるように、クリップ本体２１に飾り部材２３を取り付ける時、厚肉部３４ａ、３４ａ同士の間には係合溝３３内に向かって第１係合爪３２を案内する案内路が確立される。
【００２３】
図７から明らかなように、下側薄肉部２１ｂの表面には第２の被係合体すなわち第２係合爪３５が形成される。第２係合爪３５は、上側薄肉部２１ａに形成される第１係合爪３２よりもクリップ本体２１の先端側端部寄りに配置される。図１０は図７の１０−１０線に沿った端面図である。図１０に示されるように、第２係合爪３５は、下側薄肉部２１ｂの表面から直立する例えば直方体形状の爪本体３５ａと、爪本体３５ａの先端から相互に反対向きに下側薄肉部２１ｂの表面に沿って広がる例えば薄板の１対の先端片３５ｂ、３５ｂと、を備える。先端片３５ｂ、３５ｂは、突出部３４の延びる方向に直交する方向に広がる。すなわち、先端片３５ｂ、３５ｂはクリップ本体２１の幅方向に延びる。先端片３５ｂ、３５ｂは例えば下側薄肉部２１ｂの表面に平行に広がる。
【００２４】
図１０から明らかなように、飾り部材２３が取り付けられた状態では、先端片３５ｂ、３５ｂと下側薄肉部２１ｂの表面との間に突出部３４の薄肉部３４ｂが配置される。その結果、第２係合爪３５と突出部３４とが係合する。薄肉部３４ｂの上面と先端片３５ｂの下面との係合により、下側薄肉部２１ｂに対する飾り部材２３の相対変位は規制される。その一方で、図７から明らかなように、突出部３４の延びる方向に直交する先端片３５ｂの側面は、薄肉部３４ｂが形成される厚肉部３４ａの先端面を受け止める。その結果、クリップ本体２１の取付側端から先端に向かう飾り部材２３の変位は規制される。こうして飾り部材２３の一端は、係合溝３２及び突出部３４と第１係合爪３２及び第２係合爪３５との係合によって、上側薄肉部２１ａ及びクリップ本体２１に係合する。
【００２５】
次に、キャップ本体２１に飾り部材２３を取り付ける方法を説明する。まず、図１１に示されるように、上側薄肉部２１ａの先端の輪郭の外側で、飾り部材２３の突出部３４が下側薄肉部２１ｂの表面に受け止められる。飾り部材２３の一端の内縁は上側薄肉部２１ａの輪郭の外側に配置される。このとき、飾り部材２３の他端はクリップ本体２１の先端側端部から上方に配置される。この状態で、例えば飾り部材２３の他端がクリップ本体２１の先端側に引っ張られると、切り欠き２４内に突出部３４が進入し、上側薄肉部２１ａと下側薄肉部２１ｂとの間に突出部３４が差し込まれていく。突出部３４、３４同士の間には第１係合爪３２が配置される。その結果、飾り部材２３の移動に応じて第１係合爪３２は飾り部材２３の移動を案内していく。
【００２６】
その後、第１係合爪３２の先端片３２ｂが飾り部材２３の係合溝３３内に進入すると同時に、突出部３４の薄肉部３４ｂが第２係合爪３５の先端片３５ｂと下側薄肉部２１ｂとの間に進入する。突出部３４の厚肉部３４ａの側面が先端片３５ｂの側面に受け止められる。こうして飾り部材２３の一端はクリップ本体２１の基端側で上側薄肉部２１ａ及び下側薄肉部２１ｂに係合する。その後、飾り部材２３の弾性変形によって、クリップ本体２１の先端側で飾り部材２３の他端が係合溝３１に係合させられる。こうして飾り部材２３が筆記具１に取り付けられる。クリップ本体２１との係止に基づき飾り部材２３の外れは防止される。
【００２７】
以上のような筆記具１によれば、天冠５に連結される連結部２２の裏側でクリップ本体２１に切り欠き２４が形成される。その結果、クリップ本体２１に切り欠き２４が形成されない場合に比べて、連結部２２の形成領域でクリップ本体２１すなわち下側薄肉部２１ｂは極めて薄く形成される。その結果、クリップ６の取付側端部で剛性は著しく低減される。従って、クリップ６が持ち上げられて開かれた際、クリップ６では連結部２２で過度の応力集中を回避することができる。こうしてクリップ６の折れを防止することができる。しかも、第１係合爪３２と係合溝３３との係合及び第２係合爪３５と突出部３４との係合によって、クリップ６が持ち上げられて開かれた際であっても、下側薄肉部２１ｂの表面からの飾り部材２３及び上側薄肉部２１ａの浮き上がりが防止される。
【００２８】
本発明は、以上のような筆記具１に代えて、キャップ２を有しない筆記具１にも適用されることが可能である。この場合、後軸９には前述のクリップ６と同様の構造が形成される。例えば連結部２２は後軸９に一体的に形成される。すなわち、クリップ本体２１は連結部２２を介して後軸９の外周面に連結される。この実施形態では、クリップ本体２１が後軸８９に連結されることから、後軸９が本発明の取付対象物に相当する。その他、本発明に係る筆記具１には、前述の水性ボールペンに代えて、例えばゲルインクボールペン、油性ボールペン、サインペンなどの他の筆記具が含まれることは言うまでもない。
【００２９】
なお、飾り部材２３を、筆記具１による筆跡を消去するための消去具として機能させてもよい。飾り部材２３はクリップ本体２１の周囲に嵌合しているため、消去の際に、クリップ６の姿勢を考慮することなく筆跡を消去することができる。特に、飾り部材２３の外縁の輪郭を利用することで、より小さい面積を消去することが可能となる。飾り部材２３を消去具とする例として、筆記具１をシャープペンシルとし、飾り部材２３を一般的な消しゴムの材料で形成してもよい。また、筆記具１を摩擦熱によって変色、消色が可能な熱変色性インクを用いたものとし、飾り部材２３を筆跡擦過のための摩擦体としてもよい。飾り部材２３を摩擦体とした場合、例えば、フッ素ゴム、ニトリルゴム、シリコーンゴム、オレフィン系エラストマー、ポリエステル系エラストマー、スチレン系エラストマー、等のゴム弾性を有するゴム、エラストマー材料から形成される。仮にクリップ本体２１が中央部で折れたとしても、飾り部材２３の弾性作用で折れたクリップ本体２１を保持することも可能である。
【符号の説明】
【００３０】
１    筆記具
５    取付対象物（天冠）
６    筆記具用クリップ
９    取付対象物（後軸）
２１    クリップ本体
２１ａ    上側薄肉部
２１ｂ    下側薄肉部
２２    連結部
２３    飾り部材
２４    切り欠き
３２    第１の係合体（第１係合爪）
３３    第１の被係合体（係合溝）
３４    第２の係合体（突出部）
３５    第２の被係合体（第２係合爪）
【図１】
0005930763.tif 000002
【図２】
0005930763.tif 000003
【図３】
0005930763.tif 000004
【図４】
0005930763.tif 000005
【図５】
0005930763.tif 000006
【図６】
0005930763.tif 000007
【図７】
0005930763.tif 000008
【図８】
0005930763.tif 000009
【図９】
0005930763.tif 000010
【図１０】
0005930763.tif 000011
【図１１】
0005930763.tif 000012